(57)【要約】【課題】常に円滑に作動するスプレー缶孔開け機を提供する。【解決手段】スプレー缶孔開け機１を、スプレー缶投入部３と、このスプレー缶投入部３の先端に連続して設けられたスプレー缶供給部５と、このスプレー缶供給部５の先端に連続して配置された孔開け処理装置７と、から構成する。孔開け処理装置７の缶支持移動体５５を、間欠的に作動するモータ４７の出力軸５３に軸方向に間隔を設けて固定した複数枚の支持移動プレート６７から構成し、それぞれの支持移動プレート６７に周方向等間隔で複数のＶ字状収容凹部６９を形成しておく。【選択図】図１
2014114038.tif 000002
【特許請求の範囲】
【請求項１】
スプレー缶に孔を開けるスプレー缶孔開け機であって、
スプレー缶を搬送するための搬送路と、前記搬送路から送られてくるスプレー缶を受け渡し位置で受け取る缶収容凹部が形成された缶支持移動体と、前記缶収容凹部に受け取られたスプレー缶が、前記受け渡し位置から孔開け位置及び排出位置に順次間欠的に移動するように、前記缶支持移動体を間欠的に回転させる駆動装置と、前記孔開け位置に移動したスプレー缶に孔を開けるための、前記スプレー缶に対して進退可能な孔開け針を有する孔開け装置と、前記排出位置に移動したスプレー缶を排出するための排出部材と、を備えたことを特徴とするスプレー缶孔開け機。
【請求項２】
前記缶支持移動体は、前記駆動装置の出力軸に、軸方向に間隔を設けて取り付けられた複数枚の缶支持移動プレートを有し、それぞれの缶支持移動プレートには周方向同一位置に前記缶収容凹部が形成されている、ことを特徴とする請求項１記載のスプレー缶孔開け機。
【請求項３】
前記孔開け針は、前記缶支持移動プレートに対応して配置されている、ことを特徴とする請求項２記載のスプレー缶孔開け機。
【請求項４】
前記缶収容凹部の底部には、スプレー缶を貫通した前記孔開け針の先端部が入り込む針先溝部が形成されている、ことを特徴とする請求項３記載のスプレー缶孔開け機。
【請求項５】
前記孔開け針は複数本設けられていて、それぞれの前記孔開け針は前記缶支持移動プレートに対応して配置されている、ことを特徴とする請求項３又は４記載のスプレー缶孔開け機。
【発明の詳細な説明】
【技術分野】
【０００１】
本発明は、廃棄物であるスプレー缶に孔を開け、缶内のガス抜きを行うスプレー缶孔開け機に関する。
【背景技術】
【０００２】
使用済みのスプレー缶にはスプレーガスが残留しているので、使用済みのスプレー缶をそのまま廃棄処理すると爆発の危険性もある。したがって、使用済みのスプレー缶は、各家庭で孔を開け、缶内のガス抜きを行ってから廃棄すべきであるが、ガス抜きを行わずに廃棄されたスプレー缶は例えば自治体側で廃棄処理に先立ってガス抜きを行う必要がある。
【０００３】
廃棄されたスプレー缶に連続的に孔を開け、ガス抜きを行う装置としては、例えば特許文献１に記載されたものが知られている。このガス抜き装置は、搬送路の先端に運ばれたスプレー缶を押し上げ装置で押し上げて排出路の後端に位置させ、排出路の後端に位置したスプレー缶を停止装置で停止させている間にスプレー缶に孔開け装置で孔を開けるものである。
【先行技術文献】
【特許文献】
【０００４】
【特許文献１】特開平８−１３３３５７号公報
【発明の概要】
【発明が解決しようとする課題】
【０００５】
しかしながら、特許文献１に記載されたようなガス抜き装置では、例えば、スプレー缶を確実に排出路側に移行させるために、押し上げ装置の上端部はスプレー缶の下側面の中央部又は中央部よりもやや後側に接触している必要があるが、より大きな径のスプレー缶を処理しようとすると、押し上げ装置の上端部はこの大きな径のスプレー缶の下側面先端側と接触することとなるので、スプレー缶を押し上げたときにスプレー缶が排出路側に移行しないといった作動不良が生じるおそれがある。
【０００６】
そこで本発明は、常に円滑に作動させることができるスプレー缶孔開け機の提供を目的とする。
【課題を解決するための手段】
【０００７】
この目的を達成するための本発明のスプレー缶孔開け機は、スプレー缶に孔を開けるスプレー缶孔開け機であって、スプレー缶を搬送するための搬送路と、前記搬送路から送られてくるスプレー缶を受け渡し位置で受け取るための缶収容凹部が形成された回転可能な缶支持移動体と、前記缶収容凹部に受け取られたスプレー缶が、前記受け渡し位置から孔開け位置及び排出位置に順次間欠的に移動するように、前記缶支持移動体を間欠的に回転させる駆動装置と、前記孔開け位置に移動したスプレー缶に孔を開けるための、前記スプレー缶に対して進退可能な孔開け針を有する孔開け装置と、前記排出位置に移動したスプレー缶を排出するための排出部材と、を備えたものである。缶支持移動体は駆動装置の出力軸に設けられた円柱体又はドラム体とすることができ、また、出力軸に沿って間隔を設けて複数枚取り付けられた円盤状等のプレート体（缶支持移動プレート）とすることができる。ここでは、それぞれの缶支持移動プレートに周方向同一位置で缶収容凹部が形成されている、缶支持移動体を複数枚のプレート体から構成することにより少ない駆動力で缶支持移動体を回転させることができる。缶収容凹部は周方向に等間隔で複数形成されているのが好ましい。缶支持移動体が停止しているときに受け渡し位置（例えば搬送路の先端位置）で缶収容凹部に受け取られたスプレー缶は、孔開け位置（例えば最も高い位置）に移動して停止する。スプレー缶には孔開け位置で停止している間に孔開け針で孔が開けられる。孔が開けられたスプレー缶が排出位置に移動すると缶支持移動体は停止し、スプレー缶は排出位置で確実に排出部材に受け渡され、排出される。缶収容凹部の大きさや深さを適切に設定することにより搬送するスプレー缶の径が異なってもこのような缶処理サイクルを常に円滑に遂行できる。
【０００８】
孔開け針は、缶支持移動プレートに対応して配置されているのが好ましい。孔開け針が缶支持移動プレートに対応していないと、孔開け針がスプレー缶に孔を開けるときにスプレー缶が大きく変形し、孔開け針がスプレー缶を貫通しないおそれがある。ここでは、缶収容凹部の底部に、スプレー缶を貫通した孔開け針の先端部が入り込む針先溝部が形成されていることが効果的である。このように構成すれば、缶を確実に貫通するまで孔開け針を作動させても孔開け針の先端を傷めることがない。
【０００９】
孔開け針を複数本設けることにより缶内のガス抜き効果を高めることができる。ここでは、それぞれの孔開け針を缶支持移動プレートに対応して配置するのが好ましい。
【発明の効果】
【００１０】
本発明のスプレー缶孔開け機ば種々の大きさのスプレー缶をスムーズに孔開け処理するのに適している。
【図面の簡単な説明】
【００１１】
【図１】本発明に係るスプレー缶孔開け機の側面図である。
【図２】スプレー缶孔開け機の平面図である。
【図３】スプレー缶孔開け機の正面図である。
【図４】缶支持移動プレート部分の拡大図である。
【図５】引き抜きプレート部分の拡大図である。
【図６】孔開け処理装置の作動態様を説明する図であり、孔開け針によるスプレー缶への孔開け状態を示す図である。
【図７】孔開け処理装置の作動態様を説明する図であり、スプレー缶からの孔開け針の引き抜き過程を示す図である。
【図８】孔開け処理装置の作動態様を説明する図であり、スプレー缶の排出過程を示す図である。
【発明を実施するための形態】
【００１２】
以下、図面を参照して本発明の実施の形態を説明する。
【００１３】
まず、図１乃至図５を参照して本発明に係るスプレー缶孔開け機の構成を説明する。
【００１４】
スプレー缶孔開け機１は、スプレー缶投入部３と、このスプレー缶投入部３の先端に連続して設けられたスプレー缶供給部５と、このスプレー缶供給部５の先端に連続して配置された孔開け処理装置７と、を備えている。
【００１５】
スプレー缶投入部３は、それぞれがキャスター９を有する4本の脚部１１が設けられた、周壁部及び底壁部を有する上面開口の正方形状である缶投入箱１３を備え、缶投入箱１３の前壁中央部には出口部１５が形成されていて、缶投入箱１３の下側には孔開け処理装置７の作動を操作するための操作盤１７が設けられている。
【００１６】
スプレー缶供給部５は、底壁部１９と、底壁部１９の幅方向両側に配置された一対の側壁部２１と、それぞれの側壁部２１の幅方向外側に配置され、缶投入箱１３の側壁前端から突出する後方取り付け片２３に後端部が支えられ、孔開け処理装置７の後面の側端部に固定された前方取り付け部材２５に前端部が支えられた一対の支持部材２７と、を備えている。底壁部１９の上面２９（搬送路）は、後端が缶投入箱１３の出口部１５の底縁に接続され、前方に向かって下降傾斜して孔開け処理装置７まで延びている。それぞれの支持部材２７の後側には後方支持ブラケット３１が設けられ、この後方支持ブラケット３１によって後方ガイドシャフト３３の両端部が支えられている。また、それぞれの支持部材２７の前側には前方支持ブラケット３５が設けられ、この前方支持ブラケット３５によって前方ガイドシャフト３７の両端部が支えられている。それぞれの側壁部２１の後側には幅方向外側に突出する後方固定部３９が形成され、それぞれの側壁部２１の前側には幅方向外側に突出する前方固定部４１が形成されていて、後方固定部３９及び前方固定部４１には幅方向外端面から側壁部２１の内面に至る貫通孔が形成されている。後方ガイドシャフト３３は後方の一対の貫通孔を貫通して幅方向に延び、前方ガイドシャフト３７は前方の一対の貫通孔を貫通して幅方向に延びていて、一対の側壁部２１は間隔を調整できるように後方ガイドシャフト３３及び前方ガイドシャフト３７に沿って幅方向にスライドできるように構成されている。それぞれの側壁部２１の後端部は幅方向外側に直角に屈曲して屈曲部３８を形成し、この屈曲部３８は缶投入箱１３の出口部１５両側の前壁内側に位置しているので、側壁部２１は、屈曲部３８の曲り角部が出口部１５の側縁に当接するまで幅方向外側に移動できる。後方固定部３９及び前方固定部４１には上面から貫通孔に至るまで雌ねじ孔が形成され、この雌ねじ孔のそれぞれに固定ねじ４３がねじ込まれていて、固定ねじ４３を後方ガイドシャフト３３や前方ガイドシャフト３７に当接するまでねじ込むことにより、側壁部２１を希望する位置で後方ガイドシャフト３３及び前方ガイドシャフト３７に固定することができる。
【００１７】
孔開け処理装置７は、それぞれがキャスター９を有する4本の脚部４５が設けられた直方体状のケース４７と、このケース４７の幅方向外側に位置するようにケース４７に設けられたモータ４９と、このモータ４９からケース４７内を貫通して延び、ケース４７の一対の側壁部５１に回転可能に支持された出力軸５３と、ケース４７内に位置するように出力軸５３に設けられた缶支持移動体５５と、ケース４７の高さ方向外側に位置するようにケース４７の上壁部５７に設けられたシリンダ５９と、このシリンダ５９の下方に延びるロッド６１の下端部に設けられた孔開け部材６３と、缶支持移動体５５の前方に配置された、先端に向かって下降傾斜している排出部材６５と、を備えている。ケース４７の周壁部や上壁部５７にはガスが内部にこもらないように網体６６が設けられている。シリンダ５９及び孔開け部材６３は孔開け装置を構成する。
【００１８】
缶支持移動体５５は、出力軸５３に軸方向に間隔を設けて複数枚固定された支持移動プレート６７を備え、それぞれの支持移動プレート６７は、円盤体に周方向等間隔で複数（ここでは８つ）のＶ字状収容凹部６９を形成した形状を有していて、それぞれのＶ字状収容凹部６９の底部には針先溝部７１が形成されている。複数枚の支持移動プレート６７は、各支持移動プレート６７のＶ字状収容凹部６９が幅方向に整列するように出力軸５３に取り付けられている。
【００１９】
ケース４７の後壁部７３には入口部７５が設けられ、この入口部７５からケース４７内に延びるように底側ガイド部７７が設けられている。底側ガイド部７７は幅方向に間隔を設けて配置された複数枚のガイドプレート７９を有し、それぞれのガイドプレート７９は、支持移動プレート６７と幅方向で互い違いに配置されていて、上縁部８１（搬送路）の後端が入口部７５の下縁に連なり、上縁部８１の先端が支持移動プレート６７の外縁よりも内側に位置するまで上縁部８１が先端に向かって下降傾斜するように形成されている。なお、ガイドプレート７９の上縁部８１の先端側は先端側よりも後側と比較して傾斜が急となっている。また、底壁部１９の上面２９の先端は入口部７５の下縁に連なっている。さらに、側壁部２１の先端部は入口部７５を通ってケース４７内に入り込んでいる。
【００２０】
孔開け部材６３は、シリンダ５９のロッド６１の下端部に固定された保持部材８３と、この保持部材８３に固定されて下方に延びる複数本（ここでは２本）の孔開け針８５と、を有していて、孔開け針８５は中央の２枚の支持移動プレート６７に対応するように幅方向（出力軸５３の軸方向）に間隔を設けて配置されている。すなわち、孔開け針８５と中央の２枚の支持移動プレート６７の幅方向位置は一致している。シリンダ５９のロッド６１の縮み動作に伴い上昇した孔開け部材６３と缶支持移動体５５との間には引き抜きプレート８７が配置されていて、この引き抜きプレート８７にはシリンダ５９のロッド６１の伸び動作に伴い下降した孔開け針８５を通過させる通過孔８９が形成されている。
【００２１】
次に、特に図４、図６、図７及び図８を参照してスプレー缶孔開け機１の操作及び作動態様を説明する。
【００２２】
まず、同じような高さのスプレー缶Ａを缶投入箱１３内に集めるが、スプレー缶供給部５の一対の側壁部２１の間隔を、集めるスプレー缶Ａの高さに対応するように予め調整しておく。次に、缶投入箱１３内のスプレー缶Ａを前壁中央部の出口部１５を通してスプレー缶供給部５に手作業で供給する。スプレー缶供給部５の底壁部１９の底面２９（搬送路）は前方に向かって下降傾斜しているので、供給されたスプレー缶Ａは底面２９上を転がり、孔開け処理装置７のケース４７の入口部７５を通ってガイドプレート７９上に至る。ガイドプレート７９上に載ったスプレー缶Ａは、先端に向かって下降傾斜するように形成されているガイドプレート７９の上縁部８１（搬送路）上を転がり、受け渡し位置で支持移動プレート６７の後方斜め上方に向かい開口しているＶ字状収容凹部６９内に転がり込む（図４）。なお、大きな径のスプレー缶Ａが処理対象となっている場合を仮想線で示している。
【００２３】
モータ４９の出力軸５３は図４の時計回り方向に４５度ずつ間欠的に回転するので、支持移動プレート６７の缶収容凹部６９内に入り込んだスプレー缶Ａは、次の支持移動プレート６７の４５度の回転により真上を向いて最も高く位置することとなる（孔開け位置）。スプレー缶Ａが真上を向いて最も高く位置すると、シリンダ５９が作動してロッド６１が下側に伸長し、孔開け針８５が引き抜きプレート８７の通過孔８９を通過して下降し、スプレー缶Ａに突き刺さる。孔開け針８５は出力軸５３の軸心と一致するように位置し、スプレー缶Ａの幅方向中央に突き刺さる。孔開け針８５はスプレー缶Ａを貫通し、針先がＶ字状収容凹部６９の針先溝部７１内に入り込むまで下降する（図６、針先は針先溝部７１の底面に当接していない）。孔開け針８５がスプレー缶Ａに孔を開けると、シリンダ５９が作動してロッド６１が上昇し、孔開け針８５が上方に退避する。孔開け針８５はスプレー缶Ａを伴って上昇するが、スプレー-缶Ａは引き抜きプレート８７に当接するので、引き抜きプレート８７の通過孔８９を抜け出るときにスプレー缶Ａから引き抜かれ、スプレー缶ＡはＶ字状収容凹部６９内に落下する（図７の矢印Ｂ参照）。Ｖ字状収容凹部６９内に落下したスプレー缶Ａは支持移動プレート６７の回転によって排出位置に移動し、Ｖ字状収容凹部６９から放り出されて排出部材６５を通ってケース４７外に排出される（図８の矢印Ｃ参照）。
【産業上の利用可能性】
【００２４】
本発明のスプレー缶孔開け機は各家庭から廃棄されたスプレー缶をガス抜きするのに使用することができる。
【符号の説明】
【００２５】
１                    スプレー缶孔開け機
５                    スプレー缶供給部
７                    孔開け処理装置
２９                  上面（搬送路）
５５                  缶支持移動体
６５                  排出部材
６７                  支持移動プレート
６９                  Ｖ字状収容凹部
８１                  上縁部（搬送路） 
【図１】
2014114038.tif 000003
【図２】
2014114038.tif 000004
【図３】
2014114038.tif 000005
【図４】
2014114038.tif 000006
【図５】
2014114038.tif 000007
【図６】
2014114038.tif 000008
【図７】
2014114038.tif 000009
【図８】
2014114038.tif 000010